【手続補正書】
【提出日】平成28年2月24日(2016.2.24)
【手続補正１】
【補正対象書類名】特許請求の範囲
【補正対象項目名】全文
【補正方法】変更
【補正の内容】
【特許請求の範囲】
【請求項１】
端末からの無線信号が分散配置された複数の検知装置のいずれによって受信されたかによって該端末の位置情報を求めるサービスにおける端末であって、
前記無線信号に規格として含まれる情報の形式に適合する端末識別情報であって前記端末に対応付くものとして前記サービスを提供するためのサーバーに記憶される端末識別情報を、削除可能に記憶する手段と、
前記無線信号に前記端末識別情報を含めて送信することにより、受信した該無線信号に含まれる情報が前記端末識別情報であることを前記検知装置が検出して自装置を特定する情報とともに該端末識別情報を前記サーバーへ通知することを可能にし、該通知を受けた前記サーバーが前記端末の位置情報を求めることを可能にする手段とを備えることを特徴とする端末。
【請求項２】
前記端末識別情報は、ＭＡＣ（メディア・アクセス・コントロール）アドレスの形式を有するものであることを特徴とする請求項１に記載の端末。
【請求項３】
前記端末識別情報は、前記無線信号に含まれるヘッダの送信元アドレスの形式に適合するものであることを特徴とする請求項１又は２に記載の端末。
【請求項４】
前記端末識別情報は、無線ＬＡＮ（ローカル・エリア・ネットワーク）規格の管理フレームの情報要素の一つであるＳＳＩＤ（サービスセット識別子）の形式を有するものであることを特徴とする請求項１に記載の端末。
【請求項５】
前記無線信号は、無線ＬＡＮ規格のプローブ要求フレーム又はアソシエーション要求フレームもしくは再アソシエーション要求フレームであることを特徴とする請求項１〜４のいずれか１項に記載の端末。
【請求項６】
前記端末識別情報は、無線ＬＡＮ規格の管理フレームに含まれる情報のうち該規格に定められた意味を有さなくても該管理フレームを前記検知装置が受信することのできる情報の形式に適合するものであることを特徴とする請求項１〜５のいずれか１項に記載の端末。
【請求項７】
前記無線信号に基づいて前記サービスのための処理を行う前記検知装置は、前記無線信号に基づいて端末をネットワークに接続するための通信処理を行うことはないものであり、
端末がネットワークを介して通信するための無線信号は、前記端末識別情報を含む無線信号とは別に、送信されることを特徴とする請求項１〜６のいずれか１項に記載の端末。
【請求項８】
前記無線信号に基づいて前記サービスのための処理を行う前記検知装置は、前記無線信号に対する通信処理を行い、端末をネットワークに接続する機能をも備えるものであり、
前記端末識別情報を含む前記無線信号は、端末がネットワークを介して通信するための情報をも含むものであることを特徴とする請求項１〜５のいずれか１項に記載の端末。
【請求項９】
記憶された前記端末識別情報を削除するとともに、該端末識別情報の前記端末に対応付くものとしての記憶を前記サーバーに削除させる手段をさらに備え、
その後、再び前記サービスの提供を受ける際には、新たな端末識別情報を、削除可能に記憶することを特徴とする請求項１〜８のいずれか１項に記載の端末。
【請求項１０】
無線信号を送信する機能を有する機器にインストールされて、端末からの無線信号が分散配置された複数の検知装置のいずれによって受信されたかによって該端末の位置情報を求めるサービスにおける端末として、該機器を動作させるためのプログラムであって、
前記無線信号に規格として含まれる情報の形式に適合する端末識別情報であって前記端末に対応付くものとして前記サービスを提供するためのサーバーに記憶される端末識別情報を、削除可能に記憶するためのプログラムコードと、
送信する前記無線信号に前記端末識別情報を含めることにより、受信した該無線信号に含まれる情報が前記端末識別情報であることを前記検知装置が検出して自装置を特定する情報とともに該端末識別情報を前記サーバーへ通知することを可能にし、該通知を受けた前記サーバーが前記端末の位置情報を求めることを可能にするためのプログラムコードとを備えることを特徴とするプログラム。
【請求項１１】
端末からの無線信号が分散配置された複数の検知装置のいずれによって受信されたかによって該端末の位置情報を求めるサービスを提供するためのサーバーと通信する手段と、
前記無線信号に規格として含まれる情報の形式に適合する端末識別情報であって複数の端末の各々に対応付くものとして前記サーバーに記憶される端末識別情報を検出するための照合情報を記憶する手段と、
前記無線信号を受信する手段と、
記憶されている前記照合情報を用いて、受信した前記無線信号に含まれる情報が前記端末識別情報であることを検出すると、該情報を前記サーバーへ通知する手段とを備えることを特徴とする検知装置。
【請求項１２】
受信した前記無線信号が自装置の受信すべきものである場合に、該無線信号に含まれるヘッダの送信元アドレスを参照することにより、前記検出を行う手段と、
受信した前記無線信号に対し、前記規格に従った通信処理を行う手段とをさらに備えることを特徴とする請求項１１に記載の検知装置。
【請求項１３】
受信した前記無線信号が無線ＬＡＮ規格の所定の管理フレームである場合に、該管理フレームの情報要素の一つであるＳＳＩＤを参照することにより、前記検出を行う手段と、
受信した前記無線信号を、前記サーバーへの通知の後に廃棄する手段とをさらに備えることを特徴とする請求項１１に記載の検知装置。
【請求項１４】
無線信号を受信する機能及び通信を行う機能を有する装置にインストールされて、端末からの無線信号が分散配置された複数の検知装置のいずれによって受信されたかによって該端末の位置情報を求めるサービスにおける検知装置として、該装置を動作させるためのプログラムであって、
前記サービスを提供するためのサーバーと通信するためのプログラムコードと、
前記無線信号に規格として含まれる情報の形式に適合する端末識別情報であって複数の端末の各々に対応付くものとして前記サーバーに記憶される端末識別情報を検出するための照合情報を記憶するためのプログラムコードと、
記憶されている前記照合情報を用いて、受信した前記無線信号に含まれる情報が前記端末識別情報であることを検出すると、該情報を前記サーバーへ通知するためのプログラムコードとを備えることを特徴とするプログラム。
【請求項１５】
端末からの要求に応じて、無線信号に規格として含まれる情報の形式に適合する端末識別情報を該端末に割り当てる手段を備えるサーバーであって、
分散配置された複数の検知装置のうち、前記端末からの無線信号を受信した検知装置が、該無線信号に含まれる情報が前記端末識別情報であることを検出して、自装置を特定する情報とともに該端末識別情報を前記サーバーに通知すると、該通知を受け取る手段と、
前記通知に基づいて、前記端末の位置情報を求める手段とを備えることを特徴とするサーバー。
【請求項１６】
前記端末からの要求は、該端末を一意に特定する情報を含み、
前記端末識別情報は、前記要求に含まれる前記端末を一意に特定する情報と、前記サービスを提供する主体を示す情報とに基づいて、生成されるものであることを特徴とする請求項１５に記載のサーバー。
【請求項１７】
前記端末からの要求は、該端末のユーザの識別情報を含み、
前記端末識別情報の割り当ては、前記要求に含まれるユーザの識別情報が前記サービスの利用者のものとして登録されている場合に、行われることを特徴とする請求項１５又は１６に記載のサーバー。
【請求項１８】
前記複数の検知装置へ、各検知装置が受信した前記無線信号から前記端末識別情報を検出するための照合情報を、送信する手段をさらに備えることを特徴とする請求項１５〜１７のいずれか１項に記載のサーバー。
【請求項１９】
前記端末からの要求に応じて、該端末への前記端末識別情報の割り当てを解除し、該端末識別情報と該端末のユーザの識別情報との対応を削除する手段をさらに備えることを特徴とする請求項１５〜１８のいずれか１項に記載のサーバー。
【請求項２０】
通信を行う機能を有するコンピュータにインストールされて、該コンピュータをサーバーとして動作させるためのプログラムであって、
端末からの要求に応じて、無線信号に規格として含まれる情報の形式に適合する端末識別情報を該端末に割り当てるためのプログラムコードと、
分散配置された複数の検知装置のうち、前記端末からの無線信号を受信した検知装置が、該無線信号に含まれる情報が前記端末識別情報であることを検出して、自装置を特定する情報とともに該端末識別情報を前記サーバーに通知すると、該通知を受け取るためのプログラムコードと、
前記通知に基づいて、前記端末の位置情報を求めるためのプログラムコードとを備えることを特徴とするプログラム。
【請求項２１】
端末からの無線信号が分散配置された複数の検知装置のいずれによって受信されたかによって該端末の位置情報を求めるサービスを提供する方法であって、
前記無線信号に規格として含まれる情報の形式に適合する端末識別情報であって前記端末に対応付くものとして前記サービスを提供するためのサーバーに記憶される端末識別情報を、該端末が、削除可能に記憶し、
前記端末が、前記無線信号に前記端末識別情報を含めて送信し、
前記検知装置が、受信した前記無線信号に含まれる情報が前記端末識別情報であることを検出して、自装置を特定する情報とともに該端末識別情報を前記サーバーへ通知し、
前記サーバーが、前記通知に基づいて、前記端末の位置情報を求めることを特徴とする方法。